(57)【要約】【課題】二つの信号ケーブルの接続が容易で便利になる。【解決手段】一つの締結素子と、一つの導電片と、二つの挟み素子とから構成され、信号ケーブルを接続するための信号ケーブル用嵌め込み式接続構造において、前記導電片は、一つの導電部を有し、前記締結素子に組み付けられ、前記導電部が信号ケーブル内に挿入して金属線と電気的に連結し、前記挟み素子は、挟み部をそれぞれ持ち、前記締結素子に組み付けられ、前記挟み部は、信号ケーブルの両端と、導電片にある導電部とを挟むことを特徴とする信号ケーブル用嵌め込み式接続構造。【選択図】図２
0003111299.tif 000002
【実用新案登録請求の範囲】
【請求項１】
一つの締結素子と、一つの導電片と、二つの挟み素子とから構成され、信号ケーブルを接続するための信号ケーブル用嵌め込み式接続構造において、
前記導電片は、一つの導電部を有し、前記締結素子に組み付けられ、前記導電部が信号ケーブル内に挿入して金属線と電気的に連結し、
前記挟み素子は、挟み部をそれぞれ持ち、前記締結素子に組み付けられ、前記挟み部は、信号ケーブルの両端と、導電片にある導電部とを挟むことを特徴とする、
信号ケーブル用嵌め込み式接続構造。
【請求項２】
一つの前記挟み素子は凸部に成形され信号ケーブルを当接する挟み部を有することを特徴とする、請求項１に記載の信号ケーブル用嵌め込み式接続構造。
【請求項３】
前記締結素子と、導電片と、二つの挟み素子とを組付けた後、全体の外部に一つの絶縁スリーブを設けることを特徴とする、請求項１に記載の信号ケーブル用嵌め込み式接続構造。
【請求項４】
前記導電片は対称な導電部を有し、前記導電部が二つの信号ケーブル内にそれぞれ挿入することを特徴とする、請求項１に記載の信号ケーブル用嵌め込み式接続構造。
【請求項５】
前記締結素子には構造が同様であり信号ケーブル内にそれぞれ挿入する導電片が二つに設置してあることを特徴とする、請求項１に記載の信号ケーブル用嵌め込み式接続構造。
【考案の詳細な説明】
【技術分野】
【０００１】
本考案は、信号ケーブルに係り、特に、信号ケーブル用嵌め込み式接続構造に関するものである。
【背景技術】
【０００２】
まず、図１を参照する。信号ケーブルは盗難防止用のものであり、信号ケーブル１０は絶縁被覆１１の内部に一本の金属線１２が設けてあり、信号ケーブル１０を窓やドアに固定されたときに、盗難防止システムが金属線１２に電力を供給し、信号ケーブル１０が泥棒に引かれ又は破壊されたときに、金属線１２が異常信号を感知し、且つ信号ケーブル１０は任意に湾折できないものであり、信号ケーブル１０を湾折する必要な場合には、二つの信号ケーブル１０を接合する必要があり、すなわち、二つの信号ケーブル１０を一つの導電板１３に溶接する。溶接の品質が確保できない場合には、二つの信号ケーブル１０の間には信号が伝達できなく、且つ信号ケーブル１０が導電板１３から離脱する可能性もあった。
【考案の開示】
【考案が解決しようとする課題】
【０００３】
しかしながら、信号ケーブルの溶接品質を確保しない場合には、二つの信号ケーブル１０の間には信号が伝達できなくなり、且つ信号ケーブル１０が導電板１３から離脱する可能性もあった。
【０００４】
本考案の主な目的は、二つの信号ケーブルの接続が容易で便利になる信号ケーブル用嵌め込み式接続構造を提供する。
【課題を解決するための手段】
【０００５】
上記欠点を解決するためになされた本願の考案は、一つの締結素子と、一つの導電片と、二つの挟み素子とから構成され、信号ケーブルを接続するための信号ケーブル用嵌め込み式接続構造において、前記導電片は、一つの導電部を有し、前記締結素子に組み付けられ、前記導電部が信号ケーブル内に挿入して金属線と電気的に連結し、前記挟み素子は、挟み部がそれぞれ持ち、前記締結素子に組み付けられ、前記挟み部は、信号ケーブルの両端と、導電片にある導電部とを挟むことを特徴とする信号ケーブル用嵌め込み式接続構造であることを要旨としている。
【０００６】
本願の考案では、一つの前記挟み素子は凸部に成形され信号ケーブルを当接する挟み部を有することを特徴とする請求項１に記載の信号ケーブル用嵌め込み式接続構造であることを要旨としている。
【０００７】
本願の考案では、前記締結素子と、導電片と、二つの挟み素子とを組付けた後、全体の外部に一つの絶縁スリーブを設けることを特徴とする請求項１に記載の信号ケーブル用嵌め込み式接続構造であることを要旨としている。
【０００８】
本願の考案では、前記導電片は対称な導電部を有し、前記導電部が二つの信号ケーブル内にそれぞれ挿入することを特徴とする請求項１に記載の信号ケーブル用嵌め込み式接続構造であることを要旨としている。
【０００９】
本願の考案では、前記締結素子には構造が同様であり信号ケーブル内にそれぞれ挿入する導電片が二つに設置してあることを特徴とする請求項１に記載の信号ケーブル用嵌め込み式接続構造であることを要旨としている。
【考案の効果】
【００１０】
本考案に係る信号ケーブル用嵌め込み式接続構造によれば、二つの信号ケーブルの接続が容易で便利になる。
【考案を実施するための最良の形態】
【００１１】
以下、添付図面を参照して本考案の好適な実施の形態を詳細に説明する。
【００１２】
まず、図２乃至図４を参照する。本考案に係る実施例１の信号ケーブル用嵌め込み式接続構造は、信号ケーブル２０を接続するためのものであり、信号ケーブル２０は、絶縁被覆２１と、絶縁被覆２１で被覆された二つの金属線２２とから構成されたものであり、接続構造は、一つの締結素子３０と、一つの導電片４０と、第一挟み素子５０と、第二挟み素子６０とから構成され、前記締結素子３０は、一つのヘッド部３１と、一つの身部３２とを有し、前記ヘッド部３１の直径は身部３２よりも大きく、且つ身部３２には外ねじが設けてある。導電片４０は、周縁から延びた導電部４１が形成してあり、その中央には貫通孔４２が開設してあり、前記貫通孔４２が締結素子３０にある身部３２を嵌めてヘッド部３１に当接し、導電部４１が信号ケーブル２０の内部に挿入して金属線２２と電気的に連結する。第一挟み素子５０と第二挟み素子６０は、一面に挟み部５１，６１がそれぞれ有し、且つその中央には貫通孔５２，６２がそれぞれ開設してあり、第二挟み素子６０の貫通孔６２には内ねじが設けてあり、第一挟み素子５０と第二挟み素子６０が締結素子３０の身部３２に取付けられ、第二挟み素子６０により第一挟み素子５０と導電片４０とが締結素子３０にあるヘッド３１に当接し脱落しなく、第一挟み素子５０にある挟み部５１と、第二挟み素子６０にある挟み部６２とにより、信号ケーブル２０の両端と、導電片４０にある導電部４１とが挟まれる。本考案に係る信号ケーブル２０を接続する場合には、第二挟み素子６０を身部３１から緩めて、導電片４０にある導電部４１を信号ケーブル２０内に挿入し、導電片４０の端部を挟み部５１，６１の間に設置して、最後に、締結素子３０を第二挟み素子６０にねじ込むと、信号ケーブル２０の接続作業が完成し、すなわち、信号ケーブル２０の接続作業は、溶接を使用しなく、且つ金属線２２の端部を互いに捩じることも必要ないので、信号ケーブル２０の接続作業は極めて容易で便利になり、且つ接続品質が極めて安定である。
【００１３】
また、図５に示すのは本考案に係る実施例２であり、本例は信号ケーブル２０を接続するためのものであり、接続構造は、一つの締結素子３０と、一つの導電片４０と、第一挟み素子５０と、第二挟み素子６０とから構成され、その形態と機能は実施例１と同様であるが、その異なる点は、第一挟み素子５０の挟み部５１には信号ケーブル２０に対応する凸部７０が形成してあり、第一挟み素子５０と第二挟み素子６０が信号ケーブル２０を挟むときに、凸部７０の押圧により、信号ケーブル２０の挟みがもっと安定になる。凸部７０は第二挟み素子６０の挟み部６１に成形されてもよく、上記と同様な効果が達成できる。また、図６に示すのは本考案に係る実施例３であり、本例は信号ケーブル２０を接続するためのものであり、接続構造は、一つの締結素子３０と、一つの導電片４０と、第一挟み素子５０と、第二挟み素子６０とから構成され、その形態と機能は実施例１と同様であるが、その異なる点は、締結素子３０と、導電片（図示せず）と、第一挟み素子５０と、第二挟み素子６０とを組合した後、全体の外部に絶縁スリーブ８０を設けることにより、信号ケーブル２０の露出した金属部分が他のものに接触することを防止できる。図７に示すのは本考案に係る実施例４であり、本例は信号ケーブル２０を接続するためのものであり、接続構造は、一つの締結素子３０と、一つの導電片４０と、第一挟み素子５０と、第二挟み素子６０とから構成され、その形態と機能は実施例１と同様であるが、その異なる点は、導電片４０は二つの信号ケーブル２０内にそれぞれ挿入して電気的に連結するための対称な導電部４３，４４を有する。第一挟み素子５０と第二挟み素子６０との両端には挟み部５１，６１が形成してあり、これにより、信号ケーブル２０が安定に挟まれる。図８に示すように、本考案では、締結素子３０に二つの構造が同様な導電片４０を同時に設置してもよく、二つの導電片４０は導電部４１を有し、導電部４１を異なる方向に向いて締結素子３０に設置すると、二つの信号ケーブル２０を接続することができる。第一挟み素子５０と第二挟み素子６０との両端には挟み部５１，６１が形成してあり、これにより、信号ケーブル２０が安定に挟まれる。また、図９に示すように、本考案に係る導電片４０は、その導電部４１がシングルレアー金属線２１の信号ケーブル２０内に挿入することができ、そうすると、信号ケーブル２０の接続作業は容易で便利になり、信号ケーブルの接続はもっと安定になる。
【図面の簡単な説明】
【００１４】
【図１】従来の信号ケーブルの接続状態を示す概略図である。
【図２】本考案に係る実施例１の分解斜視図である。
【図３】本考案に係る実施例１の組合状態を示す斜視図である。
【図４】本考案に係る実施例１の断面図である。
【図５】本考案に係る実施例２の断面図である。
【図６】本考案に係る実施例３の斜視図である。
【図７】本考案に係る実施例４の分解斜視図である。
【図８】本考案に係る締結素子に二つの構造が同様な導電片を取付けた状態を示す概略図である。
【図９】本考案に係る導電片をシングルレアー金属線の信号ケーブルに挿入した状態を示す断面図である。
【符号の説明】
【００１５】
１０      信号ケーブル            １１      絶縁被覆
１２      金属線                  １３      金属板
２０      信号ケーブル            ２１      絶縁被覆
２２      金属線                  ３１      ヘッド部
３０      締結素子                ３２      身部
４０      導電片                  ４１      導電部
４２      貫通孔                  ５０      第一挟み素子
５１      挟み部                  ５２      貫通孔
６０      第二挟み素子            ６１      挟み部
６２      貫通孔                  ７０      凸部
８０      絶縁スリーブ
【図１】
0003111299.tif 000003
【図２】
0003111299.tif 000004
【図３】
0003111299.tif 000005
【図４】
0003111299.tif 000006
【図５】
0003111299.tif 000007
【図６】
0003111299.tif 000008
【図７】
0003111299.tif 000009
【図８】
0003111299.tif 000010
【図９】
0003111299.tif 000011